【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
利用可能なアクセサリ群から少なくとも一つのアクセサリの装着が可能なデジタルカメラにおいて、
上記アクセサリ群は対応したプログラムによって動作可能であり、
上記デジタルカメラは、上記アクセサリ群に対応する更新用プログラムとプログラムに関連した第１付帯情報とを記憶した外部機器と通信し、装着されたアクセサリに対応する更新用プログラムをこの外部機器から取得してこのアクセサリに記憶されたプログラムの更新が可能であって、
上記デジタルカメラは、
アクセサリの装着に応じてこのアクセサリのプログラムに関連した第２付帯情報を取得する手段と、
上記第２付帯情報をアクセサリ毎の履歴情報として記憶する記憶手段と、
上記外部機器が接続されると上記履歴情報に記憶された第２付帯情報に対応した第１付帯情報を上記外部機器から取得する手段と、
上記外部機器から取得した第１付帯情報と上記履歴情報に記憶された第２付帯情報とを比較してアクセサリのプログラム更新の必要性を判定する判定手段と、
上記判定手段の判定結果に応じて告知表示を行う表示手段と、
を有することを特徴とするデジタルカメラ。
【請求項２】
上記第１、第２付帯情報は、アクセサリの識別データ、プログラムバージョンデータを含むことを特徴とする請求項１に記載のデジタルカメラ。
【請求項３】
上記アクセサリの識別データはアクセサリ個々に付与されたシリアル番号を含むことを特徴とする請求項２に記載のデジタルカメラ。
【請求項４】
上記アクセサリは交換レンズ、ストロボ、バッテリホルダの少なくとも一つを含むことを特徴とする請求項１乃至３に記載のデジタルカメラ。
【請求項５】
上記告知表示に応じて装着されたアクセサリに応じて、上記外部機器に対して上記更新用プログラムの送信要求を行い、受信した上記更新用プログラムを上記アクセサリに転送する更新プログラム送信手段を有することを特徴とする請求項１に記載のデジタルカメラ。
【請求項６】
利用可能なアクセサリ群から少なくとも一つのアクセサリの装着が可能なデジタルカメラと、このデジタルカメラにネットワークを介して接続可能な外部機器とからなるデジタルカメラシステムにおいて、
上記外部機器は、上記アクセサリ群に対応する更新用プログラムとこの更新用プログラムに関連した第１付帯情報とを記憶する第１情報記憶手段を有しており、
上記デジタルカメラは、
アクセサリの装着に応じてこのアクセサリのプログラムに関連した第２付帯情報を取得する第１取得手段と、
上記第２付帯情報をアクセサリ毎の履歴情報として記憶する第２記憶手段と、
上記外部機器が接続されると上記履歴情報に記憶された第２付帯情報に対応した第１付帯情報を上記外部機器から取得する第２取得手段と、
上記外部機器から取得した第１付帯情報と上記履歴情報に記憶された第２付帯情報とを比較してアクセサリのプログラム更新の必要性を判定する判定手段と、
上記判定手段の判定結果に応じて告知表示を行う表示手段と、
を有することを特徴とするデジタルカメラシステム。
【請求項７】
上記デジタルカメラは、上記告知表示に応じて装着されたアクセサリに対応する更新用プログラムを上記外部機器から取得し、上記アクセサリに記憶されたプログラムの更新を行う更新手段を有することを特徴とする請求項６に記載のデジタルカメラシステム。
【請求項８】
カメラ本体にアクセサリが装着されたことを検知した際に、アクセサリから基本情報を取得し、
上記取得したアクセサリの基本情報を記憶し、
アクセサリの更新用プログラムと、この更新用プログラムに関する情報を記憶する外部機器に直接または間接的に接続した際に、上記アクセサリの基本情報を送信し、
上記外部機器からの上記情報に基づいてプログラムの更新の必要性について判定し、
上記判定の結果に基づいて、更新の必要なアクセサリの告知表示を行うことを特徴とするプログラム更新方法。
【請求項９】
カメラ本体と接続した際に、カメラ本体からアクセサリの基本情報を取得し、
アクセサリの更新用プログラムと、この更新用プログラムに関する情報を記憶する外部機器に接続し、
上記アクセサリの基本情報と上記更新用プログラムに関する情報に基づいて、更新プログラムに関する最新バージョン情報を取得し、この最新バージョン情報を上記カメラ本体に送信し、
上記カメラ本体から受信した装着アクセサリ情報に基づいて、上記外部機器に上記更新用プログラムを要求し、取得した更新用プログラムを上記カメラ本体に送信する、
ことを特徴とするプログラム更新方法。
【請求項１０】
ネットワークを介して受信したカメラのアクセサリ情報に基いて、最新のプログラムバージョンのプログラムを、ネットワークを介して上記カメラに向けて送信することを特徴とするネットワークサーバにおいて、
上記カメラのアクセサリ情報は、上記カメラに接続されたことのある全アクセサリの識別情報とプログラムバージョン情報であって、上記アクセサリ情報に基いてネットワークを介して上記カメラに向けて送信するプログラムを選択することを特徴とするネットワークサーバ。
【手続補正２】
【補正対象書類名】明細書
【補正対象項目名】発明の名称
【補正方法】変更
【補正の内容】
【発明の名称】デジタルカメラ、デジタルカメラシステム、プログラム更新方法、およびネットワークサーバ
【手続補正３】
【補正対象書類名】明細書
【補正対象項目名】０００１
【補正方法】変更
【補正の内容】
【０００１】
本発明は、デジタルカメラ、カメラシステム、およびプログラム更新方法に関し、    詳しくは、アクセサリと組み合わせて使用するデジタルカメラまたはデジタルカメラ    システムおいて、アクセサリのプログラムをアップデートに適したデジタルカメラ、    カメラシステム、プログラム更新方法、およびネットワークサーバに関する。
【手続補正４】
【補正対象書類名】明細書
【補正対象項目名】０００８
【補正方法】変更
【補正の内容】
【０００８】
第２の発明に係わるデジタルカメラは、上記第１の発明において、上記第１、第２    付帯情報は、アクセサリの識別データ、プログラムバージョンデータを含む。
第３の発明に係わるデジタルカメラは、上記第２の発明において、上記アクセサリ    の識別データはアクセサリ個々に付与されたシリアル番号を含む。
【手続補正５】
【補正対象書類名】明細書
【補正対象項目名】００１３
【補正方法】変更
【補正の内容】
【００１３】
第９の発明に係わるプログラム更新方法は、カメラ本体と接続した際に、カメラ本    体からアクセサリの基本情報を取得し、アクセサリの更新用プログラムと、この更新    用プログラムに関する情報を記憶する外部機器に接続し、上記アクセサリの基本情報    と上記更新用プログラムに関する情報に基づいて、更新プログラムに関する最新バー    ジョン情報を取得し、この最新バージョン情報を上記カメラ本体に送信し、上記カメ    ラ本体から受信した装着アクセサリ情報に基づいて、上記外部機器に上記更新用プロ    グラムを要求し、取得した更新用プログラムを上記カメラ本体に送信する。
第１０の発明に係るネットワークサーバは、ネットワークを介して受信したカメラ のアクセサリ情報に基いて、最新のプログラムバージョンのプログラムを、ネットワ ークを介して上記カメラに向けて送信することを特徴とするネットワークサーバにお いて、上記カメラのアクセサリ情報は、上記カメラに接続されたことのある全アクセ サリの識別情報とプログラムバージョン情報であって、上記アクセサリ情報に基いて ネットワークを介して上記カメラに向けて送信するプログラムを選択する。